(57)【特許請求の範囲】
【請求項１】
透液性トップシートとバックシートとの間に吸収体が介在されるとともに、使用面側の両側部に夫々、長手方向に沿って立体ギャザーが形成された吸収性物品において、
前記立体ギャザーは、折り畳み状態で、前記吸収性物品の側方側から中心側方向に延在したシートが中心側位置で側方側に折り返される第１折返し部と、この第１折返し部に連続して側方側位置で中心側方向に折り返される第２折返し部と、この第２折返し部に連続して中心側位置で側方側に折り返される第３折返し部とによって四つ折りとされ、下層側から順に第１折返し面、第２折返し面、第３折返し面及び第４折返し面を有し、前記第２折返し部が前記第４折返し面の外方側端縁よりも外側に位置しており、
前記吸収性物品の体液排出部位を含む所定の長手方向範囲において、少なくとも前記第３折返し面と、第４折返し面とが断面略く字状に起立し、前記吸収性物品のお尻側部位において、前記第２折返し面から第４折返し面までが互いに接合され、前記第１折返し部を起立点として外側方向に向けて直線傾斜状に起立していることを特徴とする吸収性物品。
【請求項２】
透液性トップシートとバックシートとの間に吸収体が介在されるとともに、使用面側の両側部に夫々、長手方向に沿って立体ギャザーが形成された吸収性物品において、
前記立体ギャザーは、折り畳み状態で、前記吸収性物品の側方側から中心側方向に延在したシートが中心側位置で側方側に折り返される第１折返し部と、この第１折返し部に連続して側方側位置で中心側方向に折り返される第２折返し部と、この第２折返し部に連続して中心側位置で側方側に折り返される第３折返し部とによって四つ折りとされ、下層側から順に第１折返し面、第２折返し面、第３折返し面及び第４折返し面を有し、前記第２折返し部が前記第４折返し面の外方側端縁よりも外側に位置しており、
前記吸収性物品の体液排出部位を含む所定の長手方向範囲において、前記立体ギャザーは、前記第２折返し面の内、相対的に内側部分が長手方向に亘って使用面側に接合され、その他の折返し面同士は非接合とされ、前記吸収体の側縁部又はその近傍から起立する側面起立部と、この側面起立部の先端から連続して形成されるとともに、前記吸収性物品の表面に対して略水平又は中心側に傾斜して形成される所定幅の肌当接面部とを有し、前記側面起立部が前記肌当接面部の外方側端縁より外側に位置した状態で起立しており、
前記吸収性物品のお尻側部位において、前記第１折返し面と第２折返し面とが非接合とされ、かつ前記第２折返し面と第３折返し面とが接合されるとともに、前記第３折返し面と第４折返し面とが接合され、前記第１折返し部を起立点として外側方向に向けて直線傾斜状に起立していることを特徴とする吸収性物品。
【請求項３】
前記側面起立部及び肌当接面部には、それぞれ前記吸収性物品の長手方向に沿って弾性伸縮部材が１又は複数本配設されている請求項２記載の吸収性物品。
【請求項４】
前記側面起立部の弾性伸縮部材と前記肌当接面部の弾性伸縮部材とは異なる彩色が施されている請求項２、３いずれかに記載の吸収性物品。
【発明の詳細な説明】
【技術分野】
【０００１】
本発明は、主には生理用ナプキン、パンティライナー、おりものシート、失禁パッド、トイレタリー等の吸収性物品に係り、詳しくは前記吸収性物品の表面側両側部に形成される立体ギャザーの構造に関する。
【背景技術】
【０００２】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品においては、排泄された体液が脚の付け根部分から漏れるのを防止するため、吸収性物品の長手方向に沿って種々の形態で表面側に起立する立体ギャザーが形成されている。生理用ナプキンの表面側両側部に左右一対の立体ギャザーを有するものとしては、例えば下記特許文献１〜４などを挙げることができる。
【０００４】
しかしながら、前記特許文献１〜４に示される立体ギャザーは、体液排出部位に対応してその両側に夫々形成されるものであるが、例えば就寝時に仰向けの状態で体液の排出があった場合、臀部側に一旦流れてから側方に拡散するように横漏れする体液があった場合、これをうまく堰き止めることができていないという問題点があった。
【０００５】
そこで、下記特許文献５，６では、臀部側にも立体ギャザーを設けた吸収性物品が開示されている。具体的には、前記特許文献５に係る吸収性物品は、吸収性物品の体液排出部位に対応する表面側両側部に、弾性伸縮部材による収縮力によって表面側に起立する前部側立体ギャザーを備えるとともに、非起立部を間に介して前記吸収性物品の後部表面側両側部に、弾性伸縮部材による収縮力によって表面側に起立する後部側立体ギャザーを備えるようにしたものであり、前記特許文献６に係る吸収性物品は、吸収性物品の表面側に、左右両側部に長手方向に亘り夫々設けられた立体ギャザー構成要素を一組として、この立体ギャザー構成要素を二組設けるとともに、一方側の立体ギャザー構成要素は体液排出部対応部位において弾性伸縮部材による収縮力によって表面側に起立させるようにし、他方側の立体ギャザー構成要素は臀部側対応部位において弾性伸縮部材による収縮力によって表面側に起立させるようにしたものである。
【特許文献１】特開２００１−１４５６６７号公報
【特許文献２】特開２００１−９５８４２号公報
【特許文献３】特開２００２−６５６号公報
【特許文献４】特開昭６４−６８５０３号公報
【特許文献５】特開２００６−２８０５８０号公報
【特許文献６】特開２００６−２８０５８３号公報
【発明の開示】
【発明が解決しようとする課題】
【０００６】
しかしながら、上記特許文献５に係る立体ギャザーの場合は、体液排出部位とお尻側部分とでは身体形状が全く異なっているのに、同形状の立体ギャザーを体液排出部位とお尻側部分とに夫々形成するものであり、特にお尻側部位で立体ギャザーによる堰き止め効果が十分に確保されていない。また、上記特許文献６に係る立体ギャザーの場合は、体液排出部位では断面く字状に起立し、お尻側部位では外側に向けて直線状に起立するように立体ギャザーを形成するものであり、特にお尻側では臀部の丸みに沿って立体ギャザーをフィットさせることが可能であるが、立体ギャザー構成要素を二組設け、一方の組で体液排出部位で立体ギャザーを形成し、他方の組でお尻側の立体ギャザーを形成するものであり、立体ギャザー形成用の部材が通常と比較して２倍必要となるなどの問題があった。
【０００７】
一方で、特許文献３に示されるように、吸収性物品の表面から立ち上がる基壁部と、該基壁部の上方部から吸収性物品の内方及び外方へ張り出す内方張出部及び外方張出部とを有する断面Ｔ状からなる立体ギャザーの場合は、図１１に示されるように、装着者の股間部に密着する外方張出部５１が、立体ギャザーの起立面である基壁部５２から側方側に突出して形成されるため、吸収性物品の装着時に、前記外方張出部５１が脚の付け根部分で押されて、同図(B)に示されるように、立体ギャザー５０全体が吸収体の表面へ倒れた状態となってしまう。かかる問題は、上記特許文献１に記載される断面Σ状からなる立体ギャザーの場合には前記肌当て部が押されることにより、また上記特許文献２に記載される断面く字状からなる立体ギャザーの場合にはく字状の屈曲点が押されることにより、同様に起こり得るものである。
【０００８】
立体ギャザーが、このように吸収体表面へ倒れた状態になると、吸収面積が減少するため、排泄された体液が吸収体に吸収されるのを阻害し、吸収体の吸収能に余裕があるにもかかわらず、体液が立体ギャザーを伝って横漏れが生じるという問題があった。さらに、図１１(B)に示されるように、前記張出部が吸収体表面へ倒れた状態になると、股間との距離が不均一となってフィット性が損なわれ、体液の漏れが生じるようになる。
【０００９】
そこで本発明の第１の課題は、長手方向に亘り設けられた左右一対の立体ギャザーによって、体液排出部位とお尻側部位とで夫々、断面形状が異なるとともに、それぞれの身体形状に合ったフィット性の高い立体ギャザーを形成することにある。
【００１０】
第２の課題は、立体ギャザーのフィット性を向上し、吸収面積の減少を招くことなく、吸収体に体液を確実に吸収させるとともに、体液の堰き止め効果によって横漏れを確実に防止することにある。
【課題を解決するための手段】
【００１１】
前記課題を解決するために請求項１に係る本発明として、透液性トップシートとバックシートとの間に吸収体が介在されるとともに、使用面側の両側部に夫々、長手方向に沿って立体ギャザーが形成された吸収性物品において、
前記立体ギャザーは、折り畳み状態で、前記吸収性物品の側方側から中心側方向に延在したシートが中心側位置で側方側に折り返される第１折返し部と、この第１折返し部に連続して側方側位置で中心側方向に折り返される第２折返し部と、この第２折返し部に連続して中心側位置で側方側に折り返される第３折返し部とによって四つ折りとされ、下層側から順に第１折返し面、第２折返し面、第３折返し面及び第４折返し面を有し、前記第２折返し部が前記第４折返し面の外方側端縁よりも外側に位置しており、
前記吸収性物品の体液排出部位を含む所定の長手方向範囲において、少なくとも前記第３折返し面と、第４折返し面とが断面略く字状に起立し、前記吸収性物品のお尻側部位において、前記第２折返し面から第４折返し面までが互いに接合され、前記第１折返し部を起立点として外側方向に向けて直線傾斜状に起立していることを特徴とする吸収性物品が提供される。
【００１２】
上記請求項１記載の発明では、立体ギャザーは、前記吸収性物品の側方側から中心側方向に延在したシートが中心側位置で側方側に折り返される第１折返し部と、この第１折返し部に連続して側方側位置で中心側方向に折り返される第２折返し部と、この第２折返し部に連続して中心側位置で側方側に折り返される第３折返し部とによって四つ折りとされ、下層側から順に第１折返し面、第２折返し面、第３折返し面及び第４折返し面を有し、前記第２折返し部が前記第４折返し面の外方側端縁よりも外側に位置させた状態で折り畳み、前記吸収性物品の体液排出部位を含む所定の長手方向範囲において、少なくとも前記第３折返し面と、第４折返し面とが断面略く字状に起立し、前記吸収性物品のお尻側部位において、前記第２折返し面から第４折返し面までが互いに接合され、前記第１折返し部を起立点として外側方向に向けて直線傾斜状に起立するように構成した。
【００１３】
従って、体液排出部位を含む所定の長手方向範囲においては、立体ギャザーの第４折返し面が装着者の股間部に密着するように起立し、お尻側部分では直線傾斜状に起立した立体ギャザーが臀部の丸みに沿って密着するようになるため、長手方向に亘って設けられた左右一対の立体ギャザーによって、それぞれの部位の身体形状に合ったフィット性の高い立体ギャザーを形成することが可能となる。
【００１４】
また、前記第２折返し部が前記第４折返し面の外方側端縁よりも外側に位置させた状態で折り畳んであるため、体液排出部位を含む所定の長手方向範囲における立体ギャザーの自由端（第４折返し面の外方側端縁）と、お尻側部位における立体ギャザーの自由端（第２折返し部）との位置が夫々異なり、お尻側部位における立体ギャザーの自由端の方が相対的に外側に位置するようになる。すなわち、体液排出部位を含む所定の長手方向範囲においては、相対的に細幅の身体密着面（第４折返し面）が股間部に確実に密着する一方で、お尻側部位では相対的に太幅で形成した身体密着面（第２折返し面〜第４折返し面の積層部分）が身体に密着し、確実に横漏れを防止できるようになる。
【００１５】
請求項２に係る本発明として、透液性トップシートとバックシートとの間に吸収体が介在されるとともに、使用面側の両側部に夫々、長手方向に沿って立体ギャザーが形成された吸収性物品において、
前記立体ギャザーは、折り畳み状態で、前記吸収性物品の側方側から中心側方向に延在したシートが中心側位置で側方側に折り返される第１折返し部と、この第１折返し部に連続して側方側位置で中心側方向に折り返される第２折返し部と、この第２折返し部に連続して中心側位置で側方側に折り返される第３折返し部とによって四つ折りとされ、下層側から順に第１折返し面、第２折返し面、第３折返し面及び第４折返し面を有し、前記第２折返し部が前記第４折返し面の外方側端縁よりも外側に位置しており、
前記吸収性物品の体液排出部位を含む所定の長手方向範囲において、前記立体ギャザーは、前記第２折返し面の内、相対的に内側部分が長手方向に亘って使用面側に接合され、その他の折返し面同士は非接合とされ、前記吸収体の側縁部又はその近傍から起立する側面起立部と、この側面起立部の先端から連続して形成されるとともに、前記吸収性物品の表面に対して略水平又は中心側に傾斜して形成される所定幅の肌当接面部とを有し、前記側面起立部が前記肌当接面部の外方側端縁より外側に位置した状態で起立しており、
前記吸収性物品のお尻側部位において、前記第１折返し面と第２折返し面とが非接合とされ、かつ前記第２折返し面と第３折返し面とが接合されるとともに、前記第３折返し面と第４折返し面とが接合され、前記第１折返し部を起立点として外側方向に向けて直線傾斜状に起立していることを特徴とする吸収性物品が提供される。
【００１６】
上記請求項２記載の発明では、立体ギャザーの好ましい具体的態様を示したものである。すなわち、体液排出部位を含む所定の長手方向範囲における立体ギャザーは、前記第２折返し面の内、相対的に内側部分が長手方向に亘って使用面側に接合され、その他の折返し面同士は非接合とされ、前記吸収体の側縁部又はその近傍から起立する側面起立部と、この側面起立部の先端から連続して形成されるとともに、前記吸収性物品の表面に対して略水平又は中心側に傾斜して形成される所定幅の肌当接面部とを有し、前記側面起立部が前記肌当接面部の外方側端縁より外側に位置した状態で起立させるようにし、一方お尻側部位における立体ギャザーは、前記第１折返し面と第２折返し面とが非接合とされ、かつ前記第２折返し面と第３折返し面とが接合されるとともに、前記第３折返し面と第４折返し面とが接合され、前記第１折返し部を起立点として外側方向に向けて直線傾斜状に起立させるようにしたものである。
【００１７】
特に、体液排出部位を含む所定の長手方向範囲における立体ギャザーは、前記側面起立部が前記肌当接面部の外方側端縁より外側に位置している構造とされるため、吸収性物品の装着時に、前記肌当接面部が脚の付け根部分で押されて立体ギャザー全体が吸収体の表面へ倒れた状態となるのを回避することができる。従って、吸収面積の減少を招くことがなく、吸収体に体液が確実に吸収されるようになる。上記構成により、立体ギャザーの側面起立部が装着者の脚に密着するとともに、前記肌当接面部が装着者の股間に密着した状態とすることができるため、立体ギャザーによる体液の堰き止め効果が十分に発揮され、体液の横漏れが確実に防止できるようになる。
【００１８】
請求項３に係る本発明として、前記側面起立部及び肌当接面部には、それぞれ、前記吸収性物品の長手方向に沿って弾性伸縮部材が１又は複数本配設されている請求項２記載の吸収性物品が提供される。
【００１９】
本請求項３記載の発明では、前記側面起立部及び肌当接面部によるフィット性を向上させるため、各部に弾性伸縮部材を配設するようにしたものである。
【００２０】
請求項４に係る本発明として、前記側面起立部の弾性伸縮部材と前記肌当接面部の弾性伸縮部材とは異なる彩色が施されている請求項２，３いずれかに記載の吸収性物品が提供される。
【００２１】
上記請求項４記載の本発明は、使用者に側面起立部と肌当接面部の２つの面の効果があることを強調するため、弾性伸縮部材に配色を施すようにしたものである。
【発明の効果】
【００２２】
以上詳説のとおり本発明によれば、長手方向に亘り設けられた左右一対の立体ギャザーによって、体液排出部位とお尻側部位とで夫々、断面形状が異なるとともに、それぞれの身体形状に合ったフィット性の高い立体ギャザーを形成することができる。また、立体ギャザーのフィット性を向上し、吸収面積の減少を招くことなく、吸収体に体液を確実に吸収させるとともに、体液の堰き止め効果によって横漏れを確実に防止することができる。
【発明を実施するための最良の形態】
【００２３】
以下、本発明の実施の形態について図面を参照しながら詳述する。
〔生理用ナプキン１の基本構造〕
図１は本発明に係る生理用ナプキン１の展開図であり、図２は図１のII−II線矢視図、図３は図１のIII−III線矢視図、図４は図１のIV−IV線矢視図である。
【００２４】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、体液排出部位Ｈを含む所定の長手方向範囲において左右一対の前部側立体ギャザーＢＳ１を形成するとともに、お尻側部位において左右一対の後部側立体ギャザーＢＳ２を形成する立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、サイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２５】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２６】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２７】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２８】
本生理用ナプキン１の表面には、ナプキン１の長手方向に細長く、かつ周方向に閉合する圧搾溝８が形成されている。また、前記圧搾溝８の前端部８ａの前側には、間を空けて前端部に結合する半円弧状の圧搾溝８ｂが形成され、前記前端部圧搾溝８ａとで三日月形状の貯留ポケットが形成されている。その結果、ナプキン１の前端部を船先状に屈曲させ肌に密着させるとともに、体液が前端部側に流出したとしても、貯留部となって体液の流出を阻止するようになっている。一方、ナプキン１の後端部には、複合半円弧状の圧搾溝８ｃが独立して形成され、体液が後部側に流出したとしても貯留部となって体液の流出を阻止するようになっている。なお、前記圧搾溝８、８ａ、８ｂ、８ｃは、熱及び／又は圧力によるエンボッシングや、超音波、またはその組合せ等、任意の手段によって付与することが可能である。
【００２９】
前記透液性トップシート３の幅寸法は、図示例では、図２および図３の横断面図に示されるように、吸収体４の幅よりも若干長めとされ、吸収体４を覆うだけに止まり、前記立体ギャザーＢＳ、ＢＳは前記透液性トップシート３とは別の立体ギャザー形成用不織布６によって形成され、立体ギャザーＢＳ、ＢＳの外側には、前記不透液性バックシート２の表面側にサイド不織布７が積層されている。これら立体ギャザー形成用不織布６及びサイド不織布７は、経血やおりもの等が浸透するのを防止する、あるいは肌触り感を高めるなどの目的に応じて、適宜の撥水処理または親水処理を施した不織布素材を用いて構成されている。かかる不織布６，７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３０】
前記サイド不織布７は、図２および図３に示されるように、不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗが折返し線ＲＬ位置にて反対側に折り返し、ショーツのクロッチ部分に巻き付けて止着するようになっている。
【００３１】
前記立体ギャザーＢＳを構成する立体ギャザー形成用不織布６は、二重に折り返されたシートが用いられ、この二重シート内部の所定位置に、その高さ方向中間部に両端または長手方向の適宜の位置が固定された複数条の糸状弾性伸縮部材２１…、２２…が配設され、体液排出部位Ｈを含む所定の長手方向範囲において、図２に示されるように、左右一対の前部側立体ギャザーＢＳ１を形成するとともに、お尻側部位において、図３に示されるように、左右一対の後部側立体ギャザーＢＳ２を形成するようになっている。
【００３２】
以下、この立体ギャザーＢＳの構造について詳述する。
〔立体ギャザーＢＳの構造〕
以下、前記立体ギャザーＢＳの構造について詳述する。
【００３３】
本発明に係る立体ギャザーＢＳは、図５に示されるように、折り畳み状態で、ナプキン１の側方側から中心側方向に延在したシートが中心側位置で側方側に折り返される第１折返し部３２と、この第１折返し部３２に連続して側方側位置で中心側方向に折り返される第２折返し部３３と、この第２折返し部３３に連続して中心側位置で側方側に折り返される第３折返し部３４とによって四つ折りとされ、下層側から順に第１折返し面３５、第２折返し面３６、第３折返し面３７及び第４折返し面３８を有するように形成される。ここで、前記第４折返し面３８は、肌当接面部３１を構成している。
【００３４】
そして、同図５に示されるように、前記第２折返し部３３は、前記第４折返し面３８（肌当接面部３１）の外方側端縁３１ａよりも外側に位置するようにし、前記第４折返し面３８（肌当接面部３１）の外方側端縁３１ａよりも外側位置で前記第２折返し面３６が使用面側に接合されるようになっている。なお、図示例では、サイド不織布７が第１折返し面３５の外面側の中間部分にまで延在しているため、前記第２折返し面は、サイド不織布７の上面に対して接合されるようになっているが、サイド不織布７がこの接合部位まで延在しない場合には、前記第１折返し面３５に対して接合すればよい。
【００３５】
前記ナプキン１の体液排出部位Ｈを含む所定の長手方向範囲に形成された前部側立体ギャザーＢＳ１は、図２に示されるように、前記第２折返し面３６の内、相対的に内側部分が長手方向に亘って使用面側に接合され、その他の折返し面同士は非接合とされ、前記吸収体４の側縁部又はその近傍から起立する側面起立部３０と、この側面起立部３０の先端から連続して形成されるとともに、前記ナプキン１の表面に対して略水平又は中心側に傾斜して形成される所定幅の肌当接面部３１とを有し、前記側面起立部３０が前記肌当接面部３１の外方側端縁より外側に位置した状態で起立している。前記側面起立部３０及び肌当接面部３１には、それぞれ、生理用ナプキン１の長手方向に沿って、１又は複数本の、図示例では各３本づつ糸状弾性伸縮部材２１…、２２…が配設されている。
【００３６】
一方、前記ナプキン１のお尻側部位に形成された後部側立体ギャザーＢＳ２は、前記第１折返し面３５と第２折返し面３６とが非接合とされ、かつ前記第２折返し面３６と第３折返し面３７とが接合されるとともに、前記第３折返し面３７と第４折返し面３８とが接合され、前記第１折返し部３２を起立点として外側方向に向けて直線傾斜状に起立するようになっている。
【００３７】
従って、体液排出部位Ｈを含む所定の長手方向範囲においては、立体ギャザーの第４折返し面３８が装着者の股間部に密着するように起立し、お尻側部分では直線傾斜状に起立した立体ギャザーが臀部の丸みに沿って密着するようになるため、長手方向に亘り設けられた左右一対の立体ギャザーＢＳ、ＢＳによって、それぞれの部位の身体形状に合ったフィット性の高い立体ギャザーを形成することが可能となる。
【００３８】
また、前記第２折返し部３３が前記第４折返し面３８の外方側端縁よりも外側に位置させた状態で折り畳んであるため、体液排出部位Ｈを含む所定の長手方向範囲における前部側立体ギャザーＢＳ１の自由端（第４折返し面３８の外方側端縁）と、お尻側部位における後部側立体ギャザーＢＳ２の自由端（第２折返し部３３）との位置が夫々異なり、お尻側部位における後部側立体ギャザーＢＳ２の自由端の方が相対的に外側に位置するようになる。その結果、体液排出部位Ｈを含む所定の長手方向範囲においては、相対的に細幅（幅：Ｌ１）の身体密着面（第４折返し面３８）が股間部に確実に密着する一方で、お尻側部位では相対的に太幅（幅：Ｌ２）で形成した身体密着面（第２折返し面〜第４折返し面の積層部分）が身体に密着し、確実に横漏れを防止できるようになる。
【００３９】
なお、前記前部側立体ギャザーＢＳ１よりも前側及び前記後部側立体ギャザーＢＳ２よりも後側においては、図４に示されるように、第１折返し面３５、第２折返し面３６、第３折返し面３７及び第４折返し面３８のすべての面が接着され、折り畳まれた状態となっている。
【００４０】
次に、左右両側に折り畳み状態で配設された前記立体ギャザー形成用不織布６によって、体液排出部位Ｈを含む所定の長手方向範囲と、お尻側部位とに夫々、断面形状の異なる前記立体ギャザーＢＳ１、ＢＳ２とを形成する場合の各折返し面同士の接着態様について図６に基づいて説明する。
【００４１】
図５に示された折り畳み状態において、各接合領域については、前記第１折返し面３５と第２折返し面３６との合わせ面に関し、前記第４折返し面３８の外方側端縁３１ａよりも外側の前記第２折返し面３６の内、相対的に内側部分を接合領域Ｘ１、相対的に外側部分を接合領域Ｘ２とする。また、前記第２折返し面３６と第３折返し面３７との合わせ面については接合領域Ｙ、前記第３折返し面３７と第４折返し面３８との合わせ面については接合領域Ｚとする。
【００４２】
図６(A)は第１折返し面３５と第２折返し面３６との接合状態を示し、図６(B)は第２折返し面３６と第３折返し面３７との接合状態を示し、図６(C)は第３折返し面３７と第４折返し面３８との接合状態を示したものである。
【００４３】
前記第１折返し面３５と第２折返し面３６との合わせ面における接合領域Ｘは、図６(A)に示されるように、立体ギャザーＢＳ１の起立位置を肌当接面部３１の外方側端縁３１ａよりも外側にするために、図６(A)に示されるように、前記第４折返し面３８の外方側端縁３１ａよりも外側の前記第２折返し面３６の内、相対的に内側部分となる接合領域Ｘ１は、後部側立体ギャザーＢＳ２区間で非接合とし、残りの範囲では立体ギャザーＢＳの長手方向全長に亘って使用面側に接合する。また、相対的に外側部分となる接合領域Ｘ２は、前部側立体ギャザーＢＳ１区間（前端側に＋α）から後部側立体ギャザーＢＳ２区間までの範囲を除く最前端部及び最後端部でのみ接合する。
【００４４】
また、前記第２折返し面３６と第３折返し面３７との合わせ面における接合領域Ｙは、図６(B)に示されるように、前部側立体ギャザーＢＳ１区間を前後方向に若干拡げた区間を非接合とし、それ以外の区間では互いに接合する。
【００４５】
前記第３折返し面３７と第４折返し面３８との合わせ面における接合領域Ｚは、図６(C)に示されるように、前部側立体ギャザーＢＳ１区間を非接合とし、それ以外の区間では互いに接合する。
【００４６】
なお、図６(D)は、糸状弾性伸縮部材２１…、２２…の配置区間を示したものであり、ほぼ前部側立体ギャザーＢＳ１区間から後部側立体ギャザーＢＳ２区間に亘って配置されている。
【００４７】
前述のように、各折返し面同士の接着を行うことにより、体液排出部位Ｈを含む所定の長手方向範囲と、お尻側部位とに夫々、断面形状の異なる前記立体ギャザーＢＳ１、ＢＳ２とを形成することが可能となる。
【００４８】
上記構成の立体ギャザーＢＳによれば、体液排出部位Ｈを含む所定の長手方向区間においては、図７(A)に示されるように、本生理用ナプキン１の装着時に、装着者の脚付け根が立体ギャザーＢＳ１の肌当接面部３１の外方側端縁３１ａに接触せず、立体ギャザーＢＳが内側に倒れづらくなる。また、側面起立部３０が肌当接面部３１の外方側端縁３１ａより外方に形成されているため、同図７(B)に示されるように、側面起立部３０が脚からの圧力を受けたとしても、この側面起立部３０が圧迫を受ける緩衝帯となって、肌当接面部３１が影響を受けないようにするか、或いはその影響を最小限に抑えるため、前記肌当接面部３１が吸収体表面側に倒れ込むのを防止するようになる。
【００４９】
また、前記側面起立部３０及び肌当接面部３１の２面で肌に密着するようになるため、従来のものよりも立体ギャザーが肌に接触する面積を大きくでき、立体ギャザーのフィット性が向上でき、体液の横漏れを確実に防止することができるようになる。
【００５０】
ところで、前記側面起立部３０及び肌当接面部３１に配設される弾性伸縮部材２１…、２２…は、使用者に２つの面の効果（フィットする方向が相違すること）を視認させるため、それぞれ異なる彩色が施されたものを使用することが好ましい。例えば、図８の例では、肌当接面部３１に配設される弾性伸縮部材２２、２２…は白色（○印）とし、側面起立部３０に配設される弾性伸縮部材２１，２１…は青色（●印）としている。
【００５１】
〔他の形態例〕
(1)上記形態例では、立体ギャザーＢＳは、サイド不織布７とは別の立体ギャザー形成用不織布６によって構成するようにしたが、図９に示されるように、サイド不織布７の内方側から延在させた二重シート部分によって立体ギャザーＢＳを構成するようにしてもよい。
(2)上記形態例では、前部側立体ギャザーＢＳ１において、前記側面起立部３０を設けるようにしたが、図１０に示されるように、第２折返し部３３を起立点として断面略く字状に起立させるようにしてもよい。
【図面の簡単な説明】
【００５２】
【図１】本発明の生理用ナプキン１の展開図である。
【図２】その横断面図（図１のII−II線矢視図）である。
【図３】その横断面図（図１のIII−III線矢視図）である。
【図４】その横断面図（図１のIV−IV線矢視図）である。
【図５】立体ギャザーＢＳの折り畳み状態を示す要部拡大横断面図である。
【図６】(A)は前記第１折返し面３５と第２折返し面３６との合わせ面の接合状態、(B)は第２折返し面３６と第３折返し面３７との接合状態、(C)は第３折返し面３７と第４折返し面３８との接合状態を各々示し、(D)は弾性伸縮部材２１…、２２…の配置区間を示した図である。
【図７】(A)、(B)は、生理用ナプキン１の装着要領を示す模式図である。
【図８】側面起立部３０及び前記肌当接面部３１に配設された弾性伸縮部材２１…，２２…への配色状態を示す要部拡大横断面図である。
【図９】立体ギャザーＢＳの他の形態例を示す要部拡大横断面図である。
【図１０】立体ギャザーＢＳの他の形態例を示す要部拡大横断面図である。
【図１１】(A)、(B)は、従来の吸収性物品の装着要領を示す模式図である。
【符号の説明】
【００５３】
１…生理用ナプキン、２…不透液性バックシート、３…透液性トップシート、４…吸収体、５…クレープ紙、７…サイド不織布、８・８ａ〜８ｃ…圧搾溝、３０…側面起立部、３１…肌当接面部、３１ａ…外方側端縁、３２…第１折返し部、３３…第２折返し部、３４…第３折返し部、３５…第１折返し面、３６…第２折返し面、３７…第３折返し面、３８…第４折返し面、ＢＳ…立体ギャザー、Ｗ…ウイング状フラップ、ＷＢ…臀部側ウイング状フラップ
【図１】
0004633821.tif 000002
【図２】
0004633821.tif 000003
【図３】
0004633821.tif 000004
【図４】
0004633821.tif 000005
【図５】
0004633821.tif 000006
【図６】
0004633821.tif 000007
【図７】
0004633821.tif 000008
【図８】
0004633821.tif 000009
【図９】
0004633821.tif 000010
【図１０】
0004633821.tif 000011
【図１１】
0004633821.tif 000012